(57)【要約】【課題】パララックスバリアと等価な機能を実現することができる光源デバイスおよび表示装置を提供する。【解決手段】所定の方向に間隔を空けて複数配列され、所定の励起光によって励起されて第１の可視光を発する蛍光体部と、前記所定の励起光を発する第１の光源とを備える。また、前記第１の光源とは独立して発光制御され、前記蛍光体部に向けて第２の可視光を発する第２の光源をさらに備える。前記所定の励起光として、紫外光を用いる。【選択図】図１
2012252937.tif 000002
【特許請求の範囲】
【請求項１】
所定の方向に間隔を空けて複数配列され、所定の励起光によって励起されて第１の可視光を発する蛍光体部と、
前記所定の励起光を発する第１の光源と
を備えた光源デバイス。
【請求項２】
前記第１の光源とは独立して発光制御され、前記蛍光体部に向けて第２の可視光を発する第２の光源をさらに備えた
請求項１に記載の光源デバイス。
【請求項３】
前記所定の励起光を吸収する光学フィルタをさらに備えた
請求項１に記載の光源デバイス。
【請求項４】
前記所定の励起光は、紫外光である
請求項１に記載の光源デバイス。
【請求項５】
前記第１の光源と前記第２の光源とが同一の筐体内に設けられ、全体として１つの直下型のバックライトを構成している
請求項２に記載の光源デバイス。
【請求項６】
前記第１の光源と前記第２の光源とが同一の導光板の側面に設けられ、全体として１つの導光型のバックライトを構成している
請求項２に記載の光源デバイス。
【請求項７】
互いに対向する第１の内部反射面と第２の内部反射面とを有する導光板をさらに備え、
前記第１の内部反射面または前記第２の内部反射面に前記蛍光体部が形成され、
前記第１の光源は、前記導光板の側面から前記導光板内部に向けて前記所定の励起光を照射するようになされ、
前記第２の光源は、前記導光板に対向配置され、前記導光板の背面側から前記導光板に向けて前記第２の可視光を照射する
請求項２に記載の光源デバイス。
【請求項８】
画像表示を行う表示部と、
前記表示部に向けて画像表示用の光を出射する光源デバイスと
を備え、
前記光源デバイスは、
所定の方向に間隔を空けて複数配列され、所定の励起光によって励起されて第１の可視光を発する蛍光体部と、
前記所定の励起光を発する第１の光源と
を有する表示装置。
【請求項９】
前記光源デバイスは、
前記第１の光源とは独立して発光制御され、前記蛍光体部に向けて第２の可視光を発する第２の光源をさらに有する
請求項８に記載の表示装置。
【請求項１０】
前記表示部は、３次元画像データに基づく複数の視点画像と２次元画像データに基づく画像とを選択的に切り替え表示するものであり、
前記第２の光源は、前記表示部に前記複数の視点画像を表示する場合には、非点灯状態に制御され、前記表示部に前記２次元画像データに基づく画像を表示する場合には、点灯状態に制御される
請求項９に記載の表示装置。
【請求項１１】
前記第１の光源は、前記表示部に前記複数の視点画像を表示する場合には、点灯状態に制御され、前記表示部に前記２次元画像データに基づく画像を表示する場合には、非点灯状態または点灯状態に制御される
請求項１０に記載の表示装置。
【発明の詳細な説明】
【技術分野】
【０００１】
本開示は、パララックスバリア（視差バリア）方式による立体視を可能にする光源デバイスおよび表示装置に関する。
【背景技術】
【０００２】
特殊な眼鏡を装着する必要がなく、裸眼で立体視が可能な立体表示方式の一つとして、パララックスバリア方式の立体表示装置が知られている。この立体表示装置は、２次元表示パネルの前面（表示面側）に、パララックスバリアを対向配置したものである。パララックスバリアの一般的な構造は、２次元表示パネルからの表示画像光を遮蔽する遮蔽部と、表示画像光を透過するストライプ状の開口部（スリット部）とを水平方向に交互に設けたものである。
【０００３】
パララックスバリア方式では、２次元表示パネルに立体視用の視差画像（２視点の場合には右眼用視点画像と左眼用視点画像）を空間分割して表示し、その視差画像をパララックスバリアによって水平方向に視差分離することで立体視が行われる。パララックスバリアにおけるスリット幅などを適切に設定することで、所定の位置、方向から観察者が立体表示装置を見た場合に、スリット部を介して観察者の左右の眼に異なる視差画像の光を別々に入射させることができる。
【０００４】
なお、２次元表示パネルとして例えば透過型の液晶表示パネルを用いる場合、２次元表示パネルの背面側にパララックスバリアを配置する構成も可能である（特許文献１の図１０、特許文献２の図３参照）。この場合、パララックスバリアは、透過型の液晶表示パネルとバックライトとの間に配置される。
【先行技術文献】
【特許文献】
【０００５】
【特許文献１】特許第３５６５３９１号公報（図１０）
【特許文献２】特開２００７−１８７８２３号公報（図３）
【発明の概要】
【発明が解決しようとする課題】
【０００６】
しかしながら、パララックスバリア方式の立体表示装置では、パララックスバリアという３次元表示用の専用部品を必要とするため、部品点数と配置スペースが通常の２次元表示用の表示装置に比べて多く必要になってしまうという問題がある。
【０００７】
本開示の目的は、パララックスバリアと等価な機能を実現することができる光源デバイスおよび表示装置を提供することにある。
【課題を解決するための手段】
【０００８】
本開示による光源デバイスは、所定の方向に間隔を空けて複数配列され、所定の励起光によって励起されて第１の可視光を発する蛍光体部と、所定の励起光を発する第１の光源とを備えたものである。
【０００９】
本開示による表示装置は、画像表示を行う表示部と、表示部に向けて画像表示用の光を出射する光源デバイスとを備え、その光源デバイスを、上記本開示の光源デバイスで構成したものである。
【００１０】
本開示による光源デバイスまたは表示装置では、第１の光源からの所定の励起光によって蛍光体部が励起され、第１の可視光が発せられる。蛍光体部は所定の方向に間隔を空けて複数配列されているので、蛍光体部にパララックスバリアとしての機能を持たせることが可能となる。すなわち、等価的に、蛍光体部を開口部（スリット部）としたパララックスバリアとして機能させることができる。
【発明の効果】
【００１１】
本開示の光源デバイスまたは表示装置によれば、蛍光体部を所定の方向に間隔を空けて複数配列し、所定の励起光によって蛍光体部を励起して第１の可視光を発するようにしたので、パララックスバリアとしての機能を持たせることができる。
【図面の簡単な説明】
【００１２】
【図１】本開示の第１の実施の形態に係る表示装置の一構成例を、第１の光源のみをオン（点灯）状態にした場合における光源デバイスからの光線の出射状態と共に示す断面図である。
【図２】図１に示した表示装置の一構成例を、第２の光源のみをオン（点灯）状態にした場合における光源デバイスからの光線の出射状態と共に示す断面図である。
【図３】第２の実施の形態に係る表示装置の一構成例を、第１の光源のみをオン（点灯）状態にした場合における光源デバイスからの光線の出射状態と共に示す断面図である。
【図４】図３に示した表示装置の一構成例を、第２の光源のみをオン（点灯）状態にした場合における光源デバイスからの光線の出射状態と共に示す断面図である。
【図５】第３の実施の形態に係る表示装置の一構成例を、第１の光源のみをオン（点灯）状態にした場合における光源デバイスからの光線の出射状態と共に示す断面図である。
【図６】第４の実施の形態に係る表示装置の一構成例を、第１の光源のみをオン（点灯）状態にした場合における光源デバイスからの光線の出射状態と共に示す断面図である。
【図７】図６に示した表示装置の一構成例を、第２の光源のみをオン（点灯）状態にした場合における光源デバイスからの光線の出射状態と共に示す断面図である。
【発明を実施するための形態】
【００１３】
以下、本開示の実施の形態について図面を参照して詳細に説明する。
【００１４】
＜第１の実施の形態＞
［表示装置の全体構成］
図１および図２は、本開示の第１の実施の形態に係る表示装置の一構成例を示している。この表示装置は、画像表示を行う表示部１と、表示部１の背面側に配置され、表示部１に向けて画像表示用の光を出射する光源デバイスとを備えている。光源デバイスは、観察者側（表示部１側）から順に、紫外線カットフィルタ（光学フィルタ）５３と、透明基板５１に形成された蛍光体部５２と、第１の光源６１（２Ｄ／３Ｄ表示用光源）および第２の光源６２（２Ｄ表示用光源）とを備えている。なお、この表示装置は、その他にも、表示に必要な表示部１用の制御回路等を備えているが、その構成は一般的な表示用の制御回路等と同様であるので、その説明を省略する。また、光源デバイスは、図示しないが、第１の光源６１および第２の光源６２のオン（点灯）・オフ（非点灯）制御を行う制御回路を備えている。
【００１５】
この表示装置は、全画面での２次元（２Ｄ）表示モードと、全画面での３次元（３Ｄ）表示モードとを任意に選択的に切り替えることが可能とされている。２次元表示モードと３次元表示モードとの切り替えは、表示部１に表示する画像データの切り替え制御と、第１の光源６１および第２の光源６２のオン・オフの切り替え制御とを行うことで可能となっている。図１は、第１の光源６１のみをオン（点灯）状態にした場合における光源デバイスからの光線の出射状態を模式的に示しているが、これは３次元表示モードに対応している。図２は、第２の光源６２のみをオン（点灯）状態にした場合における光源デバイスからの光線の出射状態を模式的に示しているが、これは２次元表示モードに対応している。
【００１６】
表示部１は、透過型の２次元表示パネル、例えば透過型の液晶表示パネルを用いて構成され、例えば、Ｒ（赤色）用画素、Ｇ（緑色）用画素、およびＢ（青色）用画素からなる画素を複数有し、それら複数の画素がマトリクス状に配置されている。表示部１は、光源デバイスからの光を画像データに応じて画素ごとに変調させることで２次元的な画像表示を行うようになっている。表示部１には、３次元画像データに基づく複数の視点画像と２次元画像データに基づく画像とが任意に選択的に切り替え表示されるようになっている。なお、３次元画像データとは、例えば、３次元表示における複数の視野角方向に対応した複数の視点画像を含むデータである。例えば２眼式の３次元表示を行う場合、右眼表示用と左眼表示用の視点画像のデータである。３次元表示モードでの表示を行う場合には、例えば、１画面内にストライプ状の複数の視点画像が含まれる合成画像を生成して表示する。
【００１７】
第１の光源６１と第２の光源６２は、同一の筐体６０の内部に複数、例えば交互に設けられ、全体として１つの直下型のバックライトを構成している。第１の光源６１と第２の光源６２はそれぞれ互いに独立した駆動回路（図示せず）に接続され、明るさを互いに独立して制御することができるようになっている。第１の光源６１と第２の光源６２とのそれぞれが全体として面状の光源となり、蛍光体部５２に対してほぼ均一な光線を照射できるように、筐体６０内にはミキシング空間６３が設けられている。出射光線の均一化を図るために、筐体６０の上面に光拡散板等が配置されていても良い。ミキシング空間６３を狭く、例えば深さ１０ｍｍ程度とした場合、第１の光源６１と第２の光源６２とのそれぞれについて均一な光を取り出すには、例えば広い配光特性をもつ光源を１０ｍｍピッチで配置することで実現が可能である。
【００１８】
第１の光源６１は、図１に示したように、蛍光体部５２を励起させて第１の可視光Ｌ６１Ａを発生させるための所定の励起光として、紫外光Ｌ６１を発するものである。第２の光源６２は、図２に示したように、第２の可視光Ｌ６２を発するものである。第１の光源６１および第２の光源６２は例えば、ＬＥＤ（Light Emitting Diode）で構成することができる。ただし、第１の光源６１および第２の光源６２はそれぞれ、紫外光または可視光を発するものであればＬＥＤでなくとも良い。例えば、レーザ光源であっても良いし、ＣＣＦＬ（Cold Cathode Fluorescent Lamp）等の蛍光ランプであっても良い。また、異なる種類の光源を組み合わせて使用してもよい。
【００１９】
第１の光源６１および第２の光源６２は、２次元表示モードと３次元表示モードとの切り替えに応じて、オン（点灯）・オフ（非点灯）制御されるようになっている。具体的には第１の光源６１は、表示部１に３次元画像データに基づく画像を表示する場合（３次元表示モードの場合）には点灯状態に制御されると共に、表示部１に２次元画像データに基づく画像を表示する場合（２次元表示モードの場合）には非点灯状態または点灯状態に制御されるようになっている。また、第２の光源６２は、表示部１に３次元画像データに基づく画像を表示する場合（３次元表示モードの場合）には非点灯状態に制御されると共に、表示部１に２次元画像データに基づく画像を表示する場合（２次元表示モードの場合）には点灯状態に制御されるようになっている。
【００２０】
蛍光体部５２は、透明基板５１の表面に蛍光体を所定の配列パターンで塗布することで形成されている。透明基板５１としては、無色透明なアクリル板やガラス板を用いることができる。透明基板５１は板状のものではなく、ＰＥＴフィルムなどでも構わない。なお、図１および図２では、透明基板５１において蛍光体部５２が表示部１側に形成されている例を示しているが、裏面側（第１の光源６１および第２の光源６２がある側）に形成するようにしていも良い。
【００２１】
蛍光体部５２は、３次元表示モード（第１の光源６１のみを点灯状態にした場合）に、パララックスバリア方式における開口部（スリット部）として機能するようになっている。そのため、蛍光体部５２は、パララックスバリアの開口部に相当する構造となるように、所定の方向に間隔を空けて複数配列されている。なお、蛍光体部５２の配列パターンに相当するパララックスバリアのバリアパターンとしては例えば、縦長のスリット状の開口部が遮蔽部を介して水平方向に多数、並列配置されたようなストライプ状のパターン等、種々のタイプのものを用いることができ、特定のものには限定されない。
【００２２】
［表示装置の動作］
この表示装置において、３次元表示モードでの表示を行う場合、表示部１には３次元画像データに基づく画像表示を行うと共に、第１の光源６１と第２の光源６２とを３次元表示用にオン（点灯）・オフ（非点灯）制御する。具体的には、図１に示したように、第１の光源６１をオン（点灯）状態にして紫外光Ｌ６１を発すると共に、第２の光源６２をオフ（非点灯）状態に制御する。この状態では、第１の光源６１から発せられた紫外光Ｌ６１の一部は蛍光体部５２で第１の可視光Ｌ６１Ａに変換される。この第１の可視光Ｌ６１Ａは紫外線カットフィルタ５３を透過し、表示部１に入射する。この状態はパララックスバリア方式において、バックライトの光がパララックスバリアの開口部を透過して液晶パネル等に入射するのと光学的に等価である。なお、蛍光体部５２で可視光に変換されない光は紫外線カットフィルタ５３で吸収される。
【００２３】
一方、２次元表示モードでの表示を行う場合には、表示部１には２次元画像データに基づく画像表示を行うと共に、第１の光源６１と第２の光源６２とを２次元表示用にオン（点灯）・オフ（非点灯）制御する。具体的には、例えば図２に示したように、第１の光源６１をオフ（非点灯）状態にすると共に、第２の光源６２をオン（点灯）状態に制御して第２の可視光Ｌ６２を発する。この状態では、第２の光源６２から発せられた第２の可視光Ｌ６２は、透明基板５１、蛍光体部５２、および紫外線カットフィルタ５３を、ほぼ全面に亘って透過し、表示部１に入射する。この状態は通常の面発光するバックライトと液晶パネル等との組み合わせと同じ状態である。
【００２４】
なお、２次元表示モードでの表示を行う場合、透明基板５１において蛍光体部５２がある部分とない部分とでは第２の可視光Ｌ６２の透過の状態が異なることが考えられる。この影響は蛍光体部５２の幅、厚みなどにより異なるが、この影響が無視できない場合は、第１の光源６１を補助的に点灯させることで改善することができる。
【００２５】
［効果］
以上説明したように、本実施の形態に係る表示装置によれば、等価的に、蛍光体部５２を開口部（スリット部）としたパララックスバリアとして機能させることができる。特に、蛍光体部５２を形成する透明基板５１をフィルム状のものにすれば、重量を抑えた実施が可能となる。
【００２６】
＜第２の実施の形態＞
次に、本開示の第２の実施の形態に係る表示装置について説明する。なお、上記第１の実施の形態に係る表示装置と実質的に同一の構成部分には同一の符号を付し、適宜説明を省略する。
【００２７】
［表示装置の全体構成］
図３および図４は、本開示の第２の実施の形態に係る表示装置の一構成例を示している。この表示装置は、図１および図２の表示装置と同様に、２次元表示モードと３次元表示モードとを任意に選択的に切り替えることが可能とされている。図３は３次元表示モードでの構成に対応し、図４は２次元表示モードでの構成に対応している。図３および図４には、各表示モードにおける光源デバイスからの光線の出射状態も模式的に図示している。
【００２８】
上記図１および図２の構成例では、第１の光源６１と第２の光源６２とを直下型のバックライトの構成にしたが、本実施の形態では、第１の光源６１と第２の光源６２とが同一の導光板７０の側面に設けられ、全体として１つの導光型のバックライトを構成している。導光板７０の底面には、例えば白色の反射ドット７１が設けられている。反射ドット７１は、導光板７０の上面から均一の光が出射されるような所定のパターンで設けられている。
【００２９】
第１の光源６１は、導光板７０内部に向けて側面方向から紫外光Ｌ６１（図３）を照射するようになっている。第２の光源６２は、導光板７０内部に向けて側面方向から第２の可視光Ｌ６２（図４）を照射するようになっている。第１の光源６１および第２の光源６２はそれぞれ、導光板７０の側面に少なくとも１つずつ配置されている。例えば、導光板７０の平面形状が四角形である場合、側面は４つとなるが、第１の光源６１および第２の光源６２はそれぞれ、少なくともいずれか１つの側面に配置されていれば良い。図３および図４では、導光板７０における互いに対向する２つの側面に第１の光源６１および第２の光源６２を配置した構成例を示している。
【００３０】
［表示装置の動作、効果］
この表示装置は、光源部分の構成が導光型のバックライトとなっている点で上記第１の実施の形態とは構成が異なるが、その表示動作（光源の制御動作）および効果は基本的に上記第１の実施の形態と同様である。
【００３１】
＜第３の実施の形態＞
次に、本開示の第３の実施の形態に係る表示装置について説明する。なお、上記第１または第２の実施の形態に係る表示装置と実質的に同一の構成部分には同一の符号を付し、適宜説明を省略する。
【００３２】
［表示装置の全体構成］
図５は、本開示の第３の実施の形態に係る表示装置の一構成例を示している。この表示装置は、図１および図２の表示装置と同様に、２次元表示モードと３次元表示モードとを任意に選択的に切り替えることが可能とされている。図３は３次元表示モードでの構成に対応している。
【００３３】
この表示装置は、上記図１および図２の構成例における透明基板５１を紫外線カットガラス５１Ａとし、その紫外線カットガラス５１Ａの裏面側（光源側）に蛍光体部５２を形成したものである。蛍光体部５２を形成する透明基板５１を紫外線カットガラス５１Ａにしたことにより、紫外線カットフィルタ５３を構成から省くことができる。
【００３４】
［表示装置の動作、効果］
この表示装置は、紫外線カットを行う部分の構成が上記第１の実施の形態とは異なるが、その表示動作（光源の制御動作）および効果は基本的に上記第１の実施の形態と同様である。
【００３５】
＜第４の実施の形態＞
次に、本開示の第４の実施の形態に係る表示装置について説明する。なお、上記第１ないし第３の実施の形態に係る表示装置と実質的に同一の構成部分には同一の符号を付し、適宜説明を省略する。
【００３６】
［表示装置の全体構成］
図６および図７は、本開示の第４の実施の形態に係る表示装置の一構成例を示している。この表示装置は、図１および図２の表示装置と同様に、２次元表示モードと３次元表示モードとを任意に選択的に切り替えることが可能とされている。図６は３次元表示モードでの構成に対応し、図７は２次元表示モードでの構成に対応している。図６および図７には、各表示モードにおける光源デバイスからの光線の出射状態も模式的に図示している。
【００３７】
この表示装置は、上記図１および図２の構成例における透明基板５１に代えて、導光板３を備えている。導光板３は、互いに対向する第１の内部反射面３Ａと第２の内部反射面３Ｂとを有している。導光板３は、第２の内部反射面３Ｂ以外の面は、全面に亘って透明とされている。例えば、導光板３の平面形状が四角形である場合、第１の内部反射面３Ａと、４つの側面とが全面に亘って透明とされている。
【００３８】
本実施の形態では、第１の光源６１が導光板３の側面に設けられている。第１の光源６１は、導光板３内部に向けて側面方向から紫外光Ｌ６１（図６）を照射するようになっている。第１の光源６１は、導光板３の側面に少なくとも１つ配置されている。例えば、導光板３の平面形状が四角形である場合、側面は４つとなるが、第１の光源６１は、少なくともいずれか１つの側面に配置されていれば良い。図６および図７では、導光板３における互いに対向する２つの側面に第１の光源６１を配置した構成例を示している。
【００３９】
本実施の形態では、導光板３の第２の内部反射面３Ｂに蛍光体部５２が形成されている。第２の内部反射面３Ｂにおいて、蛍光体部５２が形成されていない部分は、全反射エリア３２となっている。例えば、導光板３の第２の内部反射面３Ｂにレーザ加工やサンドブラスト加工などにより溝を形成し、その溝内に蛍光体を充填することで、蛍光体部５２を形成することが可能である。第２の内部反射面３Ｂにおいて、蛍光体部５２は３次元表示モードにしたときに、パララックスバリアとしての開口部（スリット部）として機能し、全反射エリア３２は遮蔽部として機能するようになっている。すなわち、第２の内部反射面３Ｂがパララックスバリアに相当する構造となっている。導光板３の材質は、紫外線透過率が高い、例えば住友化学のスミペックス０１０を使用することができる。
【００４０】
本実施の形態では、第２の光源６２は、導光板３に対して第２の内部反射面３Ｂが形成された側に対向配置されている。そして第２の光源６２は、導光板３の背面側から導光板３に向けて第２の可視光Ｌ６２（図７）を照射するようになっている。本実施の形態では、第２の光源６２は、一様な面内輝度の光を発する面状光源であれば良く、その構造自体は特定のものには限定されず、市販の面状バックライトを使用することが可能である。例えばＣＣＦＬやＬＥＤ等の発光体と、面内輝度を均一化するための光拡散板とを用いた構造などが考えられる。
【００４１】
［表示装置の動作］
この表示装置は、第１の光源６１の構成、および蛍光体部５２を形成する部分の構成が上記第１の実施の形態とは異なるが、その表示動作（光源の制御動作）は基本的に上記第１の実施の形態と同様である。
【００４２】
＜その他の実施の形態＞
本開示による技術は、上記各実施の形態の説明に限定されず種々の変形実施が可能である。
例えば、上記第４の実施の形態（図６、図７）では、導光板３において、蛍光体部６１と全反射エリア３２とを第２の内部反射面３Ｂ側に設けた構成例について説明したが、それらを第１の内部反射面３Ａ側に設けた構成であっても良い。
【００４３】
また例えば、本技術は以下のような構成を取ることができる。
（１）
所定の方向に間隔を空けて複数配列され、所定の励起光によって励起されて第１の可視光を発する蛍光体部と、
前記所定の励起光を発する第１の光源と
を備えた光源デバイス。
（２）
前記第１の光源とは独立して発光制御され、前記蛍光体部に向けて第２の可視光を発する第２の光源をさらに備えた
上記（１）に記載の光源デバイス。
（３）
前記所定の励起光を吸収する光学フィルタをさらに備えた
上記（１）または（２）に記載の光源デバイス。
（４）
前記所定の励起光は、紫外光である
上記（１）ないし（３）のいずれか１つに記載の光源デバイス。
（５）
前記第１の光源と前記第２の光源とが同一の筐体内に設けられ、全体として１つの直下型のバックライトを構成している
上記（２）ないし（４）のいずれか１つに記載の光源デバイス。
（６）
前記第１の光源と前記第２の光源とが同一の導光板の側面に設けられ、全体として１つの導光型のバックライトを構成している
上記（２）ないし（４）のいずれか１つに記載の光源デバイス。
（７）
互いに対向する第１の内部反射面と第２の内部反射面とを有する導光板をさらに備え、
前記第１の内部反射面または前記第２の内部反射面に前記蛍光体部が形成され、
前記第１の光源は、前記導光板の側面から前記導光板内部に向けて前記所定の励起光を照射するようになされ、
前記第２の光源は、前記導光板に対向配置され、前記導光板の背面側から前記導光板に向けて前記第２の可視光を照射する
上記（２）ないし（４）のいずれか１つに記載の光源デバイス。
【符号の説明】
【００４４】
１…表示部、３…導光板、３Ａ…第１の内部反射面、３Ｂ…第２の内部反射面、３２…全反射エリア、５１…透明基板、５１Ａ…紫外線カットガラス、５２…蛍光体部、５３…紫外線カットフィルタ（光学フィルタ）、６０…筐体、６１…第１の光源（２Ｄ／３Ｄ表示用光源）、６２…第２の光源（２Ｄ表示用光源）、６３…ミキシング空間、７０…導光板、７１…反射ドット、Ｌ６１…励起光（紫外光）、Ｌ６１Ａ…第１の可視光、Ｌ６２…第２の可視光。
【図１】
2012252937.tif 000003
【図２】
2012252937.tif 000004
【図３】
2012252937.tif 000005
【図４】
2012252937.tif 000006
【図５】
2012252937.tif 000007
【図６】
2012252937.tif 000008
【図７】
2012252937.tif 000009